(57)【要約】      （修正有）【課題】吸油材の体積が小さく、運送時にかさばらず、容易に積み重ねることができる吸油材収納構造体を提供する。【解決手段】真空状態の密封用袋３内に、吸油性不織繊維から成る吸油シート１を複数枚重ねた吸油シート積層体２が、重ねた厚さ方向に圧縮状態の扁平ブロック体２Ｂとして収納され、真空状態の密封用袋３内に収納された扁平ブロック体２Ｂの体積をＶ0とし、大気圧下での吸油シート積層体２の体積をＶ1とすると、Ｖ1×１／10≦Ｖ0≦Ｖ1×１／４に設定した吸油材収納構造体。【選択図】図１
2022002970.tif 000002
【特許請求の範囲】
【請求項１】
真空状態の密封用袋（３）内に、吸油性不織繊維から成る吸油シート（１）を複数枚重ねた吸油シート積層体（２）が、重ねた厚さ方向に圧縮状態の扁平ブロック体（２Ｂ）として収納されていることを特徴とする吸油材収納構造体。
【請求項２】
真空状態の上記密封用袋（３）内に収納された上記扁平ブロック体（２Ｂ）の体積を（Ｖ0 ）とし、大気圧下での上記吸油シート積層体（２）の体積を（Ｖ1 ）とすると、Ｖ1 ×１／10≦Ｖ0 ≦Ｖ1 ×１／４に設定した請求項１記載の吸油材収納構造体。
【請求項３】
吸油性不織繊維から成る吸油シート（１）を複数枚重ねた吸油シート積層体（２）を、密封用袋（３）に収納して、上記吸油シート積層体（２）を収納した上記密封用袋（３）の上面（８）に、下面（９）が平面状かつ摩擦係数が大きい重し板（10）を載置し、上記重し板（10）を載置した加圧状態で、上記袋（３）の内部（11）の真空圧と、該袋（３）の外部（12）の大気圧との差によって、上記吸油シート積層体（２）を、圧縮することを特徴とする吸油材収納構造体の製法。
【請求項４】
吸油性不織繊維から成る吸油シート（１）を複数枚重ねた吸油シート積層体（２）を、密封用袋（３）の開口部（３Ａ）から、差入れ、
真空作業用空間室（７）内に、上記吸油シート積層体（２）を収納した開口状密封用袋（３）を、設置して、上記吸油シート積層体（２）を収納した上記密封用袋（３）の上面（８）に、下面（９）が平面状かつ摩擦係数が大きい重し板（10）を載置し、上記重し板（10）を載置した重し板付加状態で、上記空間室（７）内を真空引きしつつ上記袋（３）の内部（11）を真空状態として、上記開口部（３Ａ）を、溶着して密封し、
その後、上記真空作業用空間室（７）内を大気に開放して、上記吸油シート積層体（２）を、扁平ブロック体（２Ｂ）に圧縮形成したことを特徴とする吸油材収納構造体の製法。
【請求項５】
ポリオレフィン系合成樹脂から成る吸油性袋（21）にオガクズ（22）を収納したオガクズ袋（23）と、吸油性不織繊維から成る吸油シート（１）を複数枚重ねた吸油シート積層体（２）と、厚紙（24）とが、真空状態の密封用袋（３）内に、順次、積層状に収納されていることを特徴とする吸油材収納構造体。
【請求項６】
ポリオレフィン系合成樹脂から成る吸油性袋（21）にオガクズ（22）を収納したオガクズ袋（23）の上に、吸油性不織繊維から成る吸油シート（１）を複数枚重ねた吸油シート積層体（２）を載置し、さらに上記吸油シート積層体（２）の上に厚紙（24）を載置して、密封用袋（３）に収納して、上記袋（３）の内部（11）の真空圧と、該袋（３）の外部（12）の大気圧との差によって、上記吸油シート積層体（２）とオガクズ袋（23）と厚紙（24）を、圧縮することを特徴とする吸油材収納構造体の製法。
【請求項７】
ポリオレフィン系合成樹脂から成る吸油性袋（21）にオガクズ（22）を収納したオガクズ袋（23）と、吸油性不織繊維から成る吸油シート（１）を複数枚重ねた吸油シート積層体（２）と、厚紙（24）とを、下から順に積層状に、開口部（３Ａ）を有する密封用袋（３）内に配設し、真空作業用空間室（７）内に、上記オガクズ袋（23）と吸油シート積層体（２）と厚紙（24）とを収納した開口状密封用袋（３）を、設置して、上記空間室（７）内を真空引きしつつ上記袋（３）の内部（11）を真空状態として、上記開口部（３Ａ）を、溶着して密封し、
その後、上記真空作業用空間室（７）内を大気に開放して、上記オガクズ袋（23）と吸油シート積層体（２）と厚紙（24）とを、積層状態で圧縮することを特徴とする吸油材収納構造体の製法。
【請求項８】
ポリオレフィン系合成樹脂から成る吸油性袋（21）にオガクズ（22）を収納したオガクズ袋（23）が、真空状態の密封用袋（３）内に収納されていることを特徴とする吸油材収納構造体。
【発明の詳細な説明】
【技術分野】
【０００１】
本発明は、吸油材収納構造体及びその製法に関する。
【背景技術】
【０００２】
一般に、自動車のエンジンオイル等の油を家庭ごみとして廃棄するには、吸油材によって油を吸収した後に、固体物として廃棄せねばならない（例えば、特許文献１参照）。
【先行技術文献】
【特許文献】
【０００３】
【特許文献１】特開２０１９−１２００９４号公報
【発明の概要】
【発明が解決しようとする課題】
【０００４】
しかし、特許文献１記載の吸油材は、体積が大きく、特に複数個を重ねると体積が増大し、運送時、及び、販売店での在庫・展示時、あるいは、家庭での未使用状態の保管時に、かさばるという問題がある。そこで、本発明者は、単純に、以下のような実験を繰り返し行った。つまり、吸油材として薄い吸油シートを複数枚重ねて密封用袋に収納し、真空包装機にて圧縮する実験を行ったが、平板状（平坦面状）に圧縮することができなかった。即ち、図15に示すように、上面30に凹凸31ができて、保管や運送の際、積み重ねることができない（コンパクトに箱に収納することが困難である）という問題、及び、運送時に凹凸31がこすれて袋が破れるという問題があった。なお、図15では密封用袋が透明であるので、内部に収納した吸油材を、（破線ではなく）実線をもって図示している。
【０００５】
そこで、本発明は、吸油材が吸油性不織繊維である場合にも体積が小さく、運送時、及び、販売店での在庫・展示時、さらには、家庭での保管時に、かさばらないコンパクトな吸油材収納構造体及びその製法を提供することを一つの目的とする。
【０００６】
また、吸油材としてオガクズを用いる場合、在庫時や保管時あるいは運送中に、虫がわいたり、カビが生えるという問題があった。また、オガクズの粒子が細かいので、使用時に、オガクズの粉が風に舞い吸込んでしまうという問題があり、（オガクズの粉を吸込まないために、）マスク等を着用する必要があった。
【０００７】
そこで、本発明は、未使用状態下で吸油材がかさばらずにコンパクトであって、また、吸油材としてオガクズを用いた場合、虫がわくことを防止できるとともに、カビの発生も防止することができる吸油材収納構造体及びその製法を提供することを目的とする。そして、微細なオガクズが空中に飛んで作業者の鼻や口から吸込むことを防止でき、オイル処理の作業環境を改善できる吸油材収納構造体及びその製法を提供することを他の目的とする。
【課題を解決するための手段】
【０００８】
本発明に係る吸油材収納構造体は、真空状態の密封用袋内に、吸油性不織繊維から成る吸油シートを複数枚重ねた吸油シート積層体が、重ねた厚さ方向に圧縮状態の扁平ブロック体として収納されているものである。
また、真空状態の上記密封用袋内に収納された上記扁平ブロック体の体積をＶ0 とし、大気圧下での上記吸油シート積層体の体積をＶ1 とすると、Ｖ1 ×１／10≦Ｖ0 ≦Ｖ1 ×１／４に設定したものである。
【０００９】
また、本発明に係る吸油材収納構造体の製法は、吸油性不織繊維から成る吸油シートを複数枚重ねた吸油シート積層体を、密封用袋に収納して、上記吸油シート積層体を収納した上記密封用袋の上面に、下面が平面状かつ摩擦係数が大きい重し板を載置し、上記重し板を載置した加圧状態で、上記袋の内部の真空圧と、該袋の外部の大気圧との差によって、上記吸油シート積層体を、圧縮する方法である。
【００１０】
また、吸油性不織繊維から成る吸油シートを複数枚重ねた吸油シート積層体を、密封用袋の開口部から、差入れ、真空作業用空間室内に、上記吸油シート積層体を収納した開口状密封用袋を、設置して、上記吸油シート積層体を収納した上記密封用袋の上面に、下面が平面状かつ摩擦係数が大きい重し板を載置し、上記重し板を載置した重し板付加状態で、上記空間室内を真空引きしつつ上記袋の内部を真空状態として、上記開口部を、溶着して密封し、その後、上記真空作業用空間室内を大気に開放して、上記吸油シート積層体を、扁平ブロック体に圧縮形成した方法である。
【００１１】
また、本発明に係る吸油材収納構造体は、ポリオレフィン系合成樹脂から成る吸油性袋にオガクズを収納したオガクズ袋と、吸油性不織繊維から成る吸油シートを複数枚重ねた吸油シート積層体と、厚紙とが、真空状態の密封用袋内に、順次、積層状に収納されているものである。
【００１２】
また、本発明に係る吸油材収納構造体の製法は、ポリオレフィン系合成樹脂から成る吸油性袋にオガクズを収納したオガクズ袋の上に、吸油性不織繊維から成る吸油シートを複数枚重ねた吸油シート積層体を載置し、さらに上記吸油シート積層体の上に厚紙を載置して、密封用袋に収納して、上記袋の内部の真空圧と、該袋の外部の大気圧との差によって、上記吸油シート積層体とオガクズ袋と厚紙を、圧縮する方法である。なお、吸油シート積層体の上に、オガクズ袋を載置し、その上に厚紙（ 100ｇ／ｍ2 の紙袋）を載置して、圧縮するも、望ましい。
【００１３】
また、ポリオレフィン系合成樹脂から成る吸油性袋にオガクズを収納したオガクズ袋と、吸油性不織繊維から成る吸油シートを複数枚重ねた吸油シート積層体と、厚紙とを、下から順に積層状に、開口部を有する密封用袋内に配設し、真空作業用空間室内に、上記オガクズ袋と吸油シート積層体と厚紙とを収納した開口状密封用袋を、設置して、上記空間室内を真空引きしつつ上記袋の内部を真空状態として、上記開口部を、溶着して密封し、その後、上記真空作業用空間室内を大気に開放して、上記オガクズ袋と吸油シート積層体と厚紙とを、積層状態で圧縮する方法である。
【００１４】
また、本発明に係る吸油材収納構造体は、ポリオレフィン系合成樹脂から成る吸油性袋にオガクズを収納したオガクズ袋が、真空状態の密封用袋内に収納されているものである。
【発明の効果】
【００１５】
本発明の吸油材収納構造体によれば、吸油性不織繊維を用いながらも、未使用状態下で、体積が小さく、運送時あるいは保管時等にかさばらず、容易に積み重ねることができる。また、本発明の吸油材収納構造体の製法によれば、上面に凹凸のない平坦面状に吸油材収納構造体を能率良く製造することができる。
【００１６】
また、本発明の吸油材収納構造体によれば、吸油材としてオガクズを用いながらも、虫がわくことを防止できるとともに、カビの発生も防止することができる。そして、微細なオガクズが空中に飛んで作業者の鼻や口から吸込むことを防止でき、オイル処理の作業環境を改善できる。また、本発明の吸油材収納構造体の製法によれば、吸油材としてオガクズを用いながらも、虫がわくことを防止できるとともに、カビの発生も防止することができ、さらに、微細なオガクズが空中に飛んで作業者の鼻や口から吸込むことを防止でき、オイル処理の作業環境を改善できる吸油材収納構造体を、能率良く製造することができる。
【図面の簡単な説明】
【００１７】
【図１】本発明の実施の一形態を示し、袋３を透明として、扁平ブロック体２Ｂを実線にて示した斜視図である。
【図２】図１のＡ−Ａ断面図である。
【図３】袋の素材の拡大断面図である。
【図４】本発明の製法を示す断面図である。
【図５】断面図である。
【図６】断面図である。
【図７】重し板の変形例を示す断面図である。
【図８】他の製法を示す平面図である。
【図９】他の実施の形態を示す断面図である。
【図１０】オガクズ袋を示す斜視図である。
【図１１】製法を示す断面図である。
【図１２】断面図である。
【図１３】断面図である。
【図１４】別の実施の形態を示す断面図である。
【図１５】従来例を示し、袋３を透明として、内部の吸油材を実線にて示した斜視図である。
【発明を実施するための形態】
【００１８】
以下、図示の実施の形態に基づき、本発明を詳説する。
図１・図２に示すように、この吸油材収納構造体は、真空状態の密封用袋３内に、吸油性不織繊維から成る吸油シート１（吸油材）を複数枚重ねた吸油シート積層体２が、重ねた厚さ方向（上下方向）に圧縮状態の扁平ブロック体２Ｂとして収納されている。吸油性不織繊維は、例えば、綿、化学繊維、パルプ等から成る。化学繊維は、例えば、レーヨン、ポリエステル等である。吸油シート１は、矩形状乃至細長矩形状とするのが、好ましい。吸油シート１は、例えば、未脱脂綿のニードルパンチ品から成る。
【００１９】
吸油シート積層体２は、矩形状の吸油シート１を３枚以上20枚以下の複数枚を積層させたものである。吸油シート積層体２が、上記範囲の枚数の吸油シート１から成る場合、容易に製造することができるとともに、効率良く取扱うことができる。吸油シート積層体２が、３枚未満の吸油シート１から成る場合、効率良く取扱うことができない。吸油シート積層体２が、20枚を超える吸油シート１から成る場合、一度に必要な枚数を適宜調節することが困難になる。
【００２０】
真空の密封用袋３内部に収納された圧縮状扁平ブロック体２Ｂの体積をＶ0 とし、大気圧下での吸油シート積層体２の体積をＶ1 とすると、Ｖ1 ×１／10≦Ｖ0 ≦Ｖ1 ×１／４に設定する。Ｖ0 が上記範囲内にある場合、容易に製造することができるとともに、収納・運送時に効率良く取扱うことができる。Ｖ0 ＜Ｖ1 ×１／10の場合、製造するのが困難である。Ｖ1 ×１／４＜Ｖ0 の場合、収納・運送・展示・保管時等においてコンパクト化が不十分で取扱いの容易化が十分でない。
【００２１】
密封用袋３は、樹脂製であって、例えば、図３に示すように、ポリアミド樹脂（例えば、いわゆるナイロン）から成る中間層４を、低密度ポリエチレン層（ＬＤＰＥ）から成る内層５及び低密度ポリエチレン層から成る外層６にてサンドイッチ状とした素材から成る。中間層４にてエアー漏れを確実に防止することができるとともに、内層５及び外層６が柔軟性を有する。なお、図１及び図15（後述）に於て、密封用袋３は、一般に透明であるため、内蔵物（吸油シート積層体等）は「実線」にて図示した。
【００２２】
密封用袋３を構成する上記素材の厚さ寸法ｔを、30ミクロン以上に設定する。厚さ寸法ｔが30ミクロン未満の場合、密封性を保つことができず、長期間、圧縮状態を維持することができない。
【００２３】
次に、（図１・図２に示した）上述の実施の形態の吸油材収納構造体の製法について、説明する。図４に示すように、吸油性不織繊維から成る吸油シート１を複数枚重ねた吸油シート積層体２を、密封用袋３の開口部３Ａから差入れて、収納する。（真空包装機19の）真空作業用空間室７内に、吸油シート積層体２を収納した開口状密封用袋３を、設置する。具体的には、吸油シート積層体２を収納した開口状密封用袋３を、上面17が平面状かつ摩擦係数が大きい滑止め用載置台18に載置する。載置台18は、例えば、ゴムから成る。吸油シート積層体２を収納した密封用袋３の上面８に、下面９が平面状かつ摩擦係数が大きい押圧用重し板10を載置する。重し板10は、ゴムから成る。なお、重し板10が金属のみから成ると滑るので、好ましくない。
【００２４】
重し板10と密封用袋３との接触面圧Ｐを、 1.5ｇ／cm2 以上 3.0ｇ／cm2 以下に設定する。接触面圧Ｐが 1.5ｇ／cm2 未満の場合、シワが発生した重し板10が落ちる虞がある。接触面圧Ｐが 3.0ｇ／cm2 を超える場合、重し板10が過度に重くなり取扱いにくくなる。
【００２５】
図５に示すように、重し板10を載置した重し板付加状態で、空間室７内を真空引きしつつ袋３の内部11を真空状態として、開口部３Ａを、（加熱された）溶着部材15にて溶着（融着）して密封する。溶着部16を、幅寸法Ｗが５mm以上30mm以下の帯状として、完全に密封するのが好ましい。その後、図６に示すように、（真空包装機19の）蓋20を開けることにより、真空作業用空間室７内を大気に開放して、袋３の内部11の真空圧と、袋３の外部12の大気圧との差によって、吸油シート積層体２を扁平ブロック体２Ｂに（扁平状に）圧縮形成する。重し板10の自重により、吸油シート１及び袋３が押圧されて、袋３の上面８が平面状に形成される。
【００２６】
図７は、重し板10の変形例を示す。重し板10は、下側のゴム材13と上側の金属板14とから成る。ゴム材13と金属板14は、例えば、接着剤によって接合する。
【００２７】
図８は、他の製法を示す。吸油シート積層体２が収納された密封用袋３を、一台の真空包装機19に対して、一度に複数（図８では３つ）配設して、一度に複数の吸油材収納構造体を製造する。その他の構成は、図４〜図６に示した実施の形態と同様である。
【００２８】
図９は、他の実施の形態を示す。この吸油材収納構造体は、オガクズ袋23（吸油材）と、吸油性不織繊維から成る吸油シート１を複数枚重ねた吸油シート積層体２と、厚紙24とが、真空状態の密封用袋３内に、積層状に収納されている。
【００２９】
オガクズ袋23は、図10に示すように、吸油性袋21にオガクズ（大鋸屑）22を収納したものである。吸油性袋21は、ポリオレフィン系合成樹脂（例えば、ポリエチレン、ポリプロピレン等）から成る。しかも、吸油性袋21は、極微小孔を多数有するもの、又は、不織布をもって構成するのが、好ましい。吸油性袋21の開口部25は、溶着部（ヒートシール部）26により閉じられている。
【００３０】
吸油性袋21の目付Ｇを、20ｇ／ｍ2 以上50ｇ／ｍ2 以下に設定する。目付Ｇが20ｇ／ｍ2 未満の場合、吸油性袋21が破れやすくなる。目付Ｇが50ｇ／ｍ2 を超える場合、内部のオガクズ（大鋸屑）22によって吸収される油（オイル）の量が過小となり、オガクズ22本来の吸油特性を十分に活用できなくなる。目付Ｇが上記範囲内にあれば、オイル吸収処理の際に、吸油性袋21による吸油特性と、内部の多量のオガクズ22による吸油性の共働にて、オイルを十分に吸油できる。しかも、内部のオガクズ22が外部へ出てしまって、床等を汚して、清掃に苦労したり、あるいは、オガクズ22が小さな粉状として空気中に舞うことが、防止できる。
【００３１】
次に、図９・図10に示す吸油材収納構造体の製法について、説明する。
図11に示すように、ポリオレフィン系合成樹脂から成る吸油性袋21にオガクズ22を収納したオガクズ袋23の上に、吸油性不織繊維から成る吸油シート１を複数枚重ねた吸油シート積層体２を載置し、さらに吸油シート積層体２の上に厚紙24を載置して、密封用袋３に収納する。すなわち、オガクズ袋23と、吸油シート積層体２と、厚紙24とを、下から順に積層状に、開口部３Ａを有する密封用袋３内に配設する。
【００３２】
厚紙24の目付Ｇ2 を、80ｇ／ｍ2 以上 120ｇ／ｍ2 以下に設定する。目付Ｇ2 が上記範囲にある場合、図15に示したような凹凸31の発生を防ぐことができる。目付Ｇ2 が80ｇ／ｍ2 未満の場合、図15に示すような凹凸31が発生する。目付Ｇ2 が 120ｇ／ｍ2 を超える場合、不必要に重量が大となり、厚紙24が硬く（剛性が過大と）なって、運送時等に、密封用袋３に孔を開ける虞れを生ずる。
【００３３】
真空作業用空間室７内に、オガクズ袋23と吸油シート積層体２と厚紙24とを収納した開口状密封用袋３を、設置する。そして、空間室７内を真空引きしつつ袋３の内部11を真空状態として、図12に示すように、開口部３Ａを、溶着して密封する。
【００３４】
その後、図13に示すように、真空作業用空間室７内を大気に開放して、袋３の内部11の真空圧と、袋３の外部12の大気圧との差によって、オガクズ袋23と吸油シート積層体２と厚紙24とを、積層状態で圧縮する。大気圧Ｐ0 によって厚紙24（の上面28）が均等に（上面28に垂直に）下方へ押圧されるので、袋３の上面８が平面状（平坦面状）に形成される。オガクズ袋23は変形しにくいので、袋３の下面27にシワがよらず、袋３の下面27が平面状（平坦面状）になる。なお、使用時に、袋３を開封すると、大気が袋３の内部11に入り、吸油シート１の体積が増大する。
【００３５】
図14は、別の実施の形態を示す。ポリオレフィン系合成樹脂から成る吸油性袋21にオガクズ22を収納したオガクズ袋23が、真空状態の密封用袋３内に収納されている。
【００３６】
なお、本発明は、設計変更可能であって、例えば、重し板10が、金属板の下面にゴムコーティングしたものであっても良い。
【００３７】
以上詳述したように、本発明は、真空状態の密封用袋３内に、吸油性不織繊維から成る吸油シート１を複数枚重ねた吸油シート積層体２が、重ねた厚さ方向に圧縮状態の扁平ブロック体２Ｂとして収納されているので、体積が小さく、運送時や店舗での展示中や保管時にかさばらず、容易に積み重ねることができる。また、吸油シート１がオガクズ22等の吸油粉粒体を（さらに）含有しても良い。吸油粉粒体としては、親油性の高いものが良い。なお、オガクズ袋23の中身として使用する吸油粉粒体にあっては、（オガクズ22の他に）米ぬか、もみ殻等の親油性の高い天然繊維とすることもできる。
【００３８】
また、真空状態の上記密封用袋３内に収納された上記扁平ブロック体２Ｂの体積をＶ0 とし、大気圧下での上記吸油シート積層体２の体積をＶ1 とすると、Ｖ1 ×１／10≦Ｖ0 ≦Ｖ1 ×１／４に設定したので、容易に製造することができるとともに、運送時や保管時に効率良く取扱うことができ、販売店（店舗）において展示場所をとらずにコンパクトに展示できる。
【００３９】
また、吸油性不織繊維から成る吸油シート１を複数枚重ねた吸油シート積層体２を、密封用袋３に収納して、上記吸油シート積層体２を収納した上記密封用袋３の上面８に、下面９が平面状かつ摩擦係数が大きい重し板10を載置し、上記重し板10を載置した加圧状態で、上記袋３の内部11の真空圧と、該袋３の外部12の大気圧との差によって、上記吸油シート積層体２を、圧縮するので、袋３の上面８が平面状の（凹凸がない）吸油材収納構造体を製造することができる。
【００４０】
また、吸油性不織繊維から成る吸油シート１を複数枚重ねた吸油シート積層体２を、密封用袋３の開口部３Ａから、差入れ、真空作業用空間室７内に、上記吸油シート積層体２を収納した開口状密封用袋３を、設置して、上記吸油シート積層体２を収納した上記密封用袋３の上面８に、下面９が平面状かつ摩擦係数が大きい重し板10を載置し、上記重し板10を載置した重し板付加状態で、上記空間室７内を真空引きしつつ上記袋３の内部11を真空状態として、上記開口部３Ａを、溶着して密封し、その後、上記真空作業用空間室７内を大気に開放して、上記吸油シート積層体２を、扁平ブロック体２Ｂに圧縮形成したので、袋３の上面８に凹凸のない吸油材収納構造体を製造することができる。
【００４１】
また、ポリオレフィン系合成樹脂から成る吸油性袋21にオガクズ22を収納したオガクズ袋23と、吸油性不織繊維から成る吸油シート１を複数枚重ねた吸油シート積層体２と、厚紙24とが、真空状態の密封用袋３内に、順次、積層状に収納されているので、変形容易な吸油シート１と、ひとまとまりで取扱い容易なオガクズ袋23とを、吸油対象等に応じて適時使い分けることができる。例えば、オガクズ袋23によって全体的に吸油した後、吸油シート１によって残りの油を容器の隅部まで完全に吸取らせることができる。また、吸油性袋21の開封前は、吸油性袋21内部が真空状態なので、オガクズ袋23内に虫がわくことを防止できるとともに、カビの発生も防止することができる。そして、使用時は、オガクズ袋23のままで使用することができる。この場合、吸油性袋21からオガクズ22を出して使用する場合と同様の吸油性能を発揮でき、かつ、微細なオガクズ22が空中に飛んで作業者の鼻や口から吸込むことを防止でき、オイル処理の作業環境を改善できる。さらに、オガクズ袋23として使用することにより、（露出状態の）オガクズ22のみにて使用する場合と比較して吸油後の清掃等の処理が容易かつ迅速に行うことができる。
【００４２】
また、ポリオレフィン系合成樹脂から成る吸油性袋21にオガクズ22を収納したオガクズ袋23の上に、吸油性不織繊維から成る吸油シート１を複数枚重ねた吸油シート積層体２を載置し、さらに上記吸油シート積層体２の上に厚紙24を載置して、密封用袋３に収納して、上記袋３の内部11の真空圧と、該袋３の外部12の大気圧との差によって、上記吸油シート積層体２とオガクズ袋23と厚紙24を、圧縮するので、（重し板10等を使用せずに）袋３の表面に、図15に示した凹凸（シワ）31がほとんど発生することなく、美しい平坦状表面に、能率良く、厚みを減少できる。そのように能率良く簡便に凹凸（シワ）31が発生しない原因は、次のような点にあると推察される。 (ｉ) 図15の方法では、微小間隙を極めて多く有する吸油シート１と、薄肉の密封用袋３の内面とは、相互に密接しつつ、一体として、急激に（真空引きにて）圧縮されるために、肉厚の薄い密封用袋３は、吸油シート１と共に波打ちながら急激に凹凸（シワ）31を発生する。図５では重し板10によって、そのような凹凸（シワ）31の発生を強制的に平坦状下面９にて抑制する方法である。 (ii) これに対して、図12に示すように厚紙24を、介在させて、微小間隙を極めて多く有する吸油シート１と、肉薄の密封用袋３との接触を、完全に遮断した状態で、袋３の内部11の真空圧と、該袋３の外部12の大気圧との差によって圧縮するので、肉薄の袋３の内面３Ｂは厚紙24によって円滑に動きつつ収縮し、かつ、吸油シート１も（厚紙24によって）凹凸（シワ）が発生するよりも瞬間的に早く、円滑に圧縮変形してしまう（図13参照）。(iii) 故に、重量も小さくかつ厚さも（通常の段ボールよりも）薄い厚紙24を、袋３の内面３Ｂと吸油シート１との間に介在させただけで、（図15に示したような）凹凸（シワ）31が発生せずに、厚さ方向に圧縮変形可能となる（図13参照）。
【００４３】
また、ポリオレフィン系合成樹脂から成る吸油性袋21にオガクズ22を収納したオガクズ袋23と、吸油性不織繊維から成る吸油シート１を複数枚重ねた吸油シート積層体２と、厚紙24とを、下から順に積層状に、開口部３Ａを有する密封用袋３内に配設し、真空作業用空間室７内に、上記オガクズ袋23と吸油シート積層体２と厚紙とを収納した開口状密封用袋３を、設置して、上記空間室７内を真空引きしつつ上記袋３の内部11を真空状態として、上記開口部３Ａを、溶着して密封し、その後、上記真空作業用空間室７内を大気に開放して、上記オガクズ袋23と吸油シート積層体２と厚紙24とを、積層状態で圧縮するので、（重し板10等を使用せずに）袋３の表面に、図15に示した凹凸（シワ）31がほとんど発生することなく、美しい平坦状表面に、能率良く、厚みを減少できる。そのように能率良く簡便に凹凸（シワ）31が発生しない原因は、次のような点にあると推察される。 (ｉ) 図15の方法では、微小間隔を極めて多く有する吸油シート１と、薄肉の密封用袋３の内面とは、相互に密接しつつ、一体として、急激に（真空引きにて）圧縮されるために、肉厚の薄い密封用袋３は、吸油シート１と共に波打ちながら急激に凹凸（シワ）31を発生する。図５では重し板10によって、そのような凹凸（シワ）31の発生を強制的に平坦状下面９にて抑制する方法である。 (ii) これに対して、図12に示すように厚紙24を、介在させて、微小間隔を極めて多く有する吸油シート１と、肉薄の密封用袋３との接触を、完全に遮断した状態で、真空作業用空間室７内を大気に開放して、オガクズ袋23と吸油シート積層体２と厚紙24とを、積層状態で圧縮するので、肉薄の袋３の内面３Ｂは厚紙24によって円滑に動きつつ収縮し、かつ、吸油シート１も（厚紙24によって）凹凸シワが発生するよりも瞬間的に早く、円滑に圧縮変形してしまう（図13参照）。(iii) 故に、重量も小さくかつ厚さも（通常の段ボールよりも）薄い厚紙24を、袋３の内面３Ｂと吸油シート１との間に介在させただけで、（図15に示したような）凹凸（シワ）31が発生せずに、厚さ方向に圧縮変形可能となる（図13参照）。
【００４４】
また、ポリオレフィン系合成樹脂から成る吸油性袋21にオガクズ22を収納したオガクズ袋23が、真空状態の密封用袋３内に収納されているので、吸油性袋21の開封前は、吸油性袋21内部が真空状態であって、虫がわくことを防止できるとともに、カビの発生も防止することができる。そして、使用時は、オガクズ袋23のままで使用することができる。この場合、吸油製袋21からオガクズ22を出して使用する場合と同様の吸油性能を発揮でき、かつ、微細なオガクズ22が空中に飛んで作業者の鼻や口から吸込むことを防止でき、オイル処理の作業環境を改善できる。さらに、オガクズ袋23として使用することにより、（露出状態の）オガクズ22として使用する場合と比較して容易に使用することができる。
【符号の説明】
【００４５】
１  吸油シート
２  吸油シート積層体
２Ｂ  扁平ブロック体
３  （密封用）袋
３Ａ  開口部
７  （真空作業用）空間室
８  上面
９  下面
10  重し板
11  内部
12  外部
21  吸油性袋
22  オガクズ
23  オガクズ袋
24  厚紙
Ｖ0   体積
Ｖ1   体積
【図１】
2022002970.tif 000003
【図２】
2022002970.tif 000004
【図３】
2022002970.tif 000005
【図４】
2022002970.tif 000006
【図５】
2022002970.tif 000007
【図６】
2022002970.tif 000008
【図７】
2022002970.tif 000009
【図８】
2022002970.tif 000010
【図９】
2022002970.tif 000011
【図１０】
2022002970.tif 000012
【図１１】
2022002970.tif 000013
【図１２】
2022002970.tif 000014
【図１３】
2022002970.tif 000015
【図１４】
2022002970.tif 000016
【図１５】
2022002970.tif 000017